(57)【要約】【課題】低電力消費で静養の容易なフルカラー有機ＥＬディスプレイを提供する。【解決手段】カラーフィルター３０上に下部電極４１を設け、下部電極上にそれぞれ第一光源を発生可能な第一有機発光ユニット４３１および第四光源を発生可能な第四有機発光ユニット４３７を設け、カラーフィルターとして、それぞれ色別に第一カラーレジスト３５１、第二カラーレジスト３５３、および第三カラーレジスト３５５で構成し、第一光源を第一カラーレジスト３５１に応じた単色光として透過効率を向上し、第四光源を白色光とし、他のカラーレジストを上記の単色光に対応する３原色とすることによって、構造を簡単とする。【選択図】図２
2007042631.tif 000002
【特許請求の範囲】
【請求項１】
透光基板、カラーフィルター、下部電極、第一有機発光ユニット、第四有機発光ユニットおよび対向電極からなり、
前記カラーフィルターは、透光基板上に形成されたそれぞれの色別の第一カラーレジスト、第二カラーレジストおよび第三カラーレジストからなり、
前記下部電極は、カラーフィルターの一部分の表面上に設けられ、
前記第一有機発光ユニットは、第一カラーレジストの透過光波長領域に対応する発光波長範囲を有すると共にそれに対応する位置の下部電極表面に設置し、
前記第四有機発光ユニットは、上記第一有機発光ユニットの発光波長範囲以外の３原色を含む発光波長域を有すると共に第二カラーレジストおよび第三カラーレジストに対応する位置の下部電極表面に設け、
前記対向電極は、第一有機発光ユニットおよび第四有機発光ユニットの一部分の表面に設置したことを特徴とするフルカラー有機ＥＬディスプレイ。
【請求項２】
前記透光基板上に下部電極、第一有機発光ユニット、第四有機発光ユニットおよび対向電極を配置し、これらの上方を覆うパッケージカバーを設けて、該パッケージカバー面に第一カラーレジスト、第二カラーレジストおよび第三カラーレジストを設けたことを特徴とする請求項１記載のフルカラー有機ＥＬディスプレイ。
【請求項３】
前記カラーフィルターは少なくとも１つのＴＦＴを含んでなる請求項１記載のフルカラー有機ＥＬディスプレイ。
【請求項４】
前記前記第一有機発光ユニットの発光波長範囲を第一カラーレジストの透過光波長領域に対応せしめたことにより、第一カラーレジストの透過効率を向上し、それに応じて前記第一カラーレジストの作用面積を第二カラーレジストおよび第三カラーレジストのいずれか１つの作用面積よりも小さくしたことを特徴とする請求項１記載のフルカラー有機ＥＬディスプレイ。
【請求項５】
前記第一有機発光ユニットおよび前記第四有機発光ユニットはそれぞれ３原色の単一光である第一光源およびそれ以外の波長範囲を含む第四光源を発生するものであると共に、前記第一光源および第四光源は相互に補色光源である請求項１記載のフルカラー有機ＥＬディスプレイ。
【請求項６】
透光基板、下部電極、第一有機発光ユニット、第四有機発光ユニット、対向電極およびパッケージカバーからなり、
前記下部電極は、カラーフィルターの一部分の表面に設置され、
前記第一有機発光ユニットは、第一カラーレジストの透過光波長領域に対応する発光波長範囲を有すると共に第一カラーレジストに対応する位置の下部電極表面に設置し、
前記第四有機発光ユニットは、上記第一有機発光ユニットの発光波長範囲以外の３原色を含む発光波長域を有すると共に第二カラーレジストおよび第三カラーレジストに対応する位置の下部電極表面に設置し、
前記対向電極は、第一有機発光ユニットおよび第四有機発光ユニットの一部分の表面に設置してなり、
前記パッケージカバーは、前記基板の一部分の表面に設置されて、それぞれの色別の第一カラーレジスト、第二カラーレジストおよび第三カラーレジストを具え
前記第一有機発光ユニットは前記第一カラーレジストに対応する位置に設置すると共に前記第四有機発光ユニットは前記第二カラーレジストおよび前記第三カラーレジストに対応する位置に設置したことを特徴とする低電力消費のフルカラー有機ＥＬディスプレイ。
【発明の詳細な説明】
【技術分野】
【０００１】
本発明は、「有機ＥＬディスプレイ」に関し、特に光源の透過率及び色彩の鮮明度を効果的に向上するだけでなく、更に効果的に消費電力を低減し、部材の使用寿命を延長した低電力消費のフルカラー有機ＥＬディスプレイに関する。
【背景技術】
【０００２】
多くのディスプレイにおいて、如何にフルカラー表示を効果的に達成するかという技術はディスプレイの発展の成功の鍵となっており、有機ＥＬディスプレイ（ＯＬＥＤ）に関しては、フルカラー表示機能を達成した最も普及した方法に以下二種類ある：
１．それぞれ赤（Ｒ）、緑（Ｇ）、青（Ｂ）の三原色を発光可能な有機ＥＬディスプレイ部材を独立して設置し（side  by  side）、この三色の光を適当な比率で混合しフルカラー表示の効果を達成する。但し、この有機ＥＬディスプレイは製作時に何度もＣＶＤのステップを経て異なる色彩の光を発光する有機発光ユニットが必要であり、製作工程が複雑になり、ＣＶＤ時の精密性を維持することが困難であるため、品質低下を来たすと共に、製造コストの増加を引き起こすのである。
２．白色光源を用いて、完成度の高いカラーフィルター技術により３原色の透過光によりフルカラー表示を達成する。
【０００３】
一般にカラーフィルターを利用して光色濾過を実行する有機ＥＬディスプレイは、図１に示すように、カラーフィルター１０において透光基板１１上にブラックマトリクス１３を設け、ブラックマトリクス１３の一部表面を含む透光基板１１上のブラックマトリクス１３を設けてない部分の表面に光色濾過機能を具えるカラーフィルター層１５を設けるもので、カラーフィルターは、各色別に第一カラーレジスト（Ｇ）１５１、第二カラーレジスト（Ｂ）１５３、及び第三カラーレジスト（Ｒ）１５５からなる。また、ブラックマトリクス１３及びカラーフィルター層１５の上表面には平坦化層１７（overcoat）或いは遮断層を形成して、後続のパターニング工程を効果的に進めること可能とする。
【０００４】
有機ＥＬ（ＯＬＥＤ）部材２０の下部電極２１は、遮断層或いは平坦化層１７の表面に設け、下部電極２１の一部の表面は有機発光ユニット２３及び対向電極２５を連続的に設けて下部電極２１及び対向電極２５の動作電流によって有機発光ユニット２３が発光する白色光Ｓをカラーフィルター１５を通過し、それぞれのフィルター効果によって緑（Ｇ）、青（Ｂ）、赤（Ｒ）の三原色光Ｌ１，Ｌ２，Ｌ３とし、これらの組み合わせにより、有機ＥＬ（ＯＬＥＤ）ディスプレイ２００はフルカラー表示を達成する。
【０００５】
カラーフィルター１０の使用により、ＯＬＥＤ装置２００は白色光Ｓを発光可能な有機発光ユニット２３のみで足りるため、比較的少数回のＣＶＤだけでよく、効果的に有機発光ユニット２３のＣＶＤ回数を減少させることができるため、結果としてＣＶＤ工程の精度に関する困難性を軽減できる。しかしながら、白色光Ｓの波長の分布範囲が比較的広いために、単色光に対するカラーフィルターの透過効率が低く、ＯＬＥＤ装置２００の発光光度及び光色鮮明度に影響し、効果的にその発光品質を向上させることができない。
【特許文献１】特開２００３−１２３９７１号公報
【特許文献２】特開２００−５６７３２号公報
【発明の開示】
【発明が解決しようとする課題】
【０００６】
上述の問題を解決する為に、製造工程のステップ及び製造時の困難度を効率的に減少するだけではなく、製品の良品率を効果的に向上し、更にその光源の透過率及び光色鮮明度の効果を向上し、発光電源の消耗を減少すると共に部材の使用寿命を延長することを可能とする新しい有機ＥＬディスプレイ及びその製造方法を設計することを本発明の課題とする。
【０００７】
本発明は、比較的少ない回数のＣＶＤ過程によりフルカラーの表示効果を達成し、製造工程ーを簡単化するだけではなく、相対してＣＶＤ工程の精度維持のための負担を低減し、効果的に製品の良品率を向上する低電力消費のフルカラー有機ＥＬディスプレイを提供することを目的とする。
【０００８】
本発明は更に、受動型有機ＥＬディスプレイに適用するだけではなく、能動型有機ＥＬディスプレイにも適用可能であり、ＣＶＤ工程などの製造工程を簡易化、製造コストの低減を達成する低電力消費のフルカラー有機ＥＬディスプレイを提供することを目的とする。
【０００９】
本発明は更に、カラーフィルターに修飾されたカラー表現が比較的良好である為、発光カラーの調整が比較的便利で簡単であり、赤、青、緑（side  by  side）三色光の発光が不均等になって、偏色および色彩鮮明度が悪くなる問題を引き起こすことなく、従って色彩表現を効果的に維持することを可能とする低電力消費のフルカラー有機ＥＬディスプレイを提供することを目的とする。
【００１０】
本発明は更に、製造フローの簡易化および対置の難易度を低減し、有機発光ユニットの光源の透過率および色彩鮮明度を効果的に向上し、発光電源消耗の低減および部材の使用寿命の延長を達成する低電力消費のフルカラー有機ＥＬディスプレイを提供することを目的とする。
【課題を解決するための手段】
【００１１】
上述の目的を達成する為、本発明が提供する「低電力消費のフルカラー有機ＥＬディスプレイ」の構造は、透光基板、カラーフィルター、下部電極、第一有機発光ユニット、第四有機発光ユニットおよび対向電極を含んでなり、前記透光基板の一部分の表面には第一カラーレジスト、第二カラーレジストおよび第三カラーレジストを設けてなり、前記下部電極は、カラーフィルターの一部分の表面に設置してなり、前記第一有機発光ユニットは、第一カラーレジストの垂直に延伸する位置の下部電極表面に設置してなり、前記第四有機発光ユニットは、第二カラーレジストおよび第三カラーレジストが垂直に延伸する位置の下部電極表面に設置してなり、前記対向電極は、第一有機発光ユニットおよび第四有機発光ユニットの一部分の表面に設置してなる。
【発明の効果】
【００１２】
本発明が提供する低電力消費のフルカラー有機ＥＬディスプレイは、比較的少ない回数のＣＶＤ工程によりフルカラーの表示効果を達成し、製造工程を簡単化するだけではなく、相対してＣＶＤ工程の精密性を維持する難易度を低減し、効果的に製品の良品率を向上する。
【００１３】
本発明が提供するは低電力消費のフルカラー有機ＥＬディスプレイは更に、受動型有機ＥＬディスプレイに適用するだけではなく、能動型有機ＥＬディスプレイにも適用可能であり、ＣＶＤ工程の位置合わせなどの品質管理上の負担を低減し、製造コストの低減を達成する。
【００１４】
本発明が提供する低電力消費のフルカラー有機ＥＬディスプレイは、更に、カラーフィルターに修飾されたカラー表現が比較的良好である為、発光カラーの調整が比較的便利で簡単であり、赤、青、緑（side  by  side）の三色光の発光が不均等になって、偏色および色彩鮮明度が悪くなる問題を引き起こすことなく、従って色彩表現を効果的に維持することを可能とする。
【００１５】
本発明が提供する低電力消費のフルカラー有機ＥＬディスプレイは、更に、製造工程の簡易化および位置合わせの精度要求を低減し、有機発光ユニットの光源の透過効率および色彩鮮明度を効果的に向上し、光源の消費電力の低減および部材の使用寿命の延長を達成する。
【発明を実施するための最良の形態】
【００１６】
本発明の特徴、構造および達成する効果を更に明確にする為、図を用いて本発明の実施例を詳細に説明する。
【００１７】
先ず、図２は、本発明の実施例の断面図である。図２に示すように、本発明の有機ＥＬ（OLED）ディスプレイ４００は、カラーフィルター３０上に有機ＥＬ（OLED）ディスプレイ４０を設け、前記カラーフィルター３０は透光基板３１上にブラックマトリクス３３を設ける。
ブラックマトリクス３３の一部表面から透光基板３１上のブラックマトリックス３３を設置していない部分上にカラーフィルター層（またはカラーレジスト）３５を設け、該カラーフィルター層３５は、それぞれの色別に第一カラーレジスト３５１、第二カラーレジスト３５３および第三カラーレジスト３５５から構成する。また、ブラックマトリクス３３およびカラーフィルター層３５上部は、平坦化層３７を被せてなることができる。
【００１８】
カラーフィルター３０上には下部電極４１を設置し、第一カラーレジスト３５１に対応する位置上に第一有機発光ユニット４３１を設置する。そして第二カラーレジスト３５３および第三カラーレジスト３５５に対応する位置上には第四有機発光ユニット４３７を設けて、下部電極４１および対向電極４５の間に動作電流が供給される時、第一有機発光ユニット４３１は第一光源Ｓ１を発生し、第四有機発光ユニット４３７は第四光源Ｓ４を発生する。
【００１９】
このように、前記第一有機発光ユニット４３１が発生する第一光源Ｓ１は第一カラーレジスト３５１を通過して第一色光Ｌ１を濾過発生し、第四有機発光ユニット４３７が発生する第四光源Ｓ４はそれぞれ第二カラーレジスト３５３および第三カラーレジスト３５５を通過して、それぞれ対応する第二色光Ｌ２および第三色光Ｌ３を発生し、第一色光Ｌ１、第二色光Ｌ２および第三色光Ｌ３の混合により前記ＯＬＥＤディスプレイ４００はフルカラー表示の目的を達成する。
【００２０】
また、本発明の実施例において、前記第一有機発光ユニット発光ユニット４３１が発生する第一光源Ｓ１は青色光源であり、第四有機発光ユニット４３７が発生する第四光源Ｓ４は白色光源または第一光源Ｓ１と相互に補色特性を有する相互補色光源を選択し、前記補色光源は、例えば、黄色光源または橙色光源である。更に、前記第一カラーレジスト３５１、第二カラーレジスト３５３および第三カラーレジスト３５５はそれぞれ青色レジストＢ（３５１）、緑色レジストＧ（３５３）および赤色レジストＲ（３５５）或いは青色レジストＢ（３５１）、赤色レジストＲ（３５５）および緑色レジストＧ（３５３）である。このように、第一光源Ｓ１（青色光）は、第一カラーレジスト（青色レジスト）３５１の濾過を経由して第一色光Ｌ１（青色光）を発生し、そして第四カラーレジストＳ４（橙色光）は第二カラーレジスト（緑色レジスト）３５３及び第三カラーレジスト（赤色レジスト）３５５を通過してそれぞれ濾過され、第一色光Ｌ２（緑色）および第三色光Ｌ３（赤色光）になり、これらの第一色光Ｌ１（青色光）、第二色光Ｌ２（緑色光）および第三色光Ｌ３（赤色光）の相互補色性および適当な比率の混合により、前記ＯＬＥＤディスプレイ４００はフルカラー表示の目的を達成することができる。
【００２１】
本発明のもう一つの実施例において、第一有機発光ユニット４３１が発生する第一光源Ｓ１は赤色光源であることも可能であり、そして第四有機発光ユニット４３７が発生する第四光源Ｓ４は青色光源または白色光源であることができ、この時、第一カラーレジスト３５１、第二カラーレジスト３５３および第三カラーレジスト３５５はそれぞれ赤色レジスト、緑色レジストおよび青色レジスト、あるいは赤色レジスト、青色レジストおよび緑色レジストであり、このように同様にしてＯＬＥＤディスプレイ４００はフルカラー表示の目的を達成する。
【００２２】
カラーフィルター３５は、特定の範囲以内の波長の光源のみを通過する装置であり、このようにして光色濾過により、例えば、第一カラーレジスト３５１は波長範囲が400nm〜500nmの間の光源のみを通過するように構成するが、公知の構造に拠れば、白色光源Ｓのバックライトが第一カラーレジストを通過する際、特定の波長範囲400nm〜500nm以外の他の色の光源を透過せず、前記第一カラーレジスト３５１の色光の波長範囲が400nm〜500nmの間、即ち肉眼で見える青色光源を通過させてフィルター機能を達成する。しかし、該フィルター作用により、波長が400nm〜500nm以外の色の光は第一カラーレジスト３５１により遮断される為、第一カラーレジスト３５１の白色光Ｓに対する透過効率は低く、約２５％であって相対的な光強度が低下することとなる。
【００２３】
前記第一光源Ｓ１の波長分布範囲が、第一カラーレジスト３５１が通過させる波長範囲内である時、前記第一カラーレジスト３５１が第一光源Ｓ１に対する光源透過効率は高くなり、例えば、前記第一光源Ｓ１の波長分布範囲が420nm〜470nm（青色光源）であり、前記第一カラーレジスト光透過波長範囲が前記の400nm〜500nm（青色レジスト）である時、第一光源Ｓ１の全光量は第一カラーレジスト３５１をほぼ完全に通過し、例えば本実施例に示すように、その光源は８０％以上の透過率を達成する。従って公知の白色光源ＬをバックライトとするＯＬＥＤ装置２００に対して、本発明はより優れた光源透過率および光強度を有し、相対的に電力消費を低減し、部材の使用寿命を延長することができる。
【００２４】
また、第四光源Ｓ４が橙色光源であり、これと組合わせる第二カラーレジスト３５３および第三カラーレジスト３５５が、それぞれ緑色レジスト及び赤色レジストである時、前記第四光源Ｓ４（橙色光源）は緑色光源と赤色光源の適当な比率の混合からなり、従って、前記第四光源Ｓ４（橙色光源）は第二カラーレジスト（緑色レジスト）３５３および第三カラーレジスト（赤色レジスト）３５５を通過した後、それぞれ第四光源Ｓ４（橙色光源）の赤色光源および緑色光源を濾過し、並びにそれぞれ前記第二色光Ｌ２（緑色光源）および第三色光Ｌ３（赤色光源）を発生して、この時、前記第二カラーレジスト３５３および第二カラーレジスト３５５は第四光源Ｓ４に対して公知のＯＬＥＤ装置（２００）に比較して良好な光源透過率を有し、例えば、４０％以上である。
【００２５】
従って、本発明のＯＬＥＤディスプレイ４００の使用により、第一光源Ｓ１および第四光源Ｓ４のカラーフィルター層３５に対する光源透過効率を向上し、前記ＯＬＥＤディスプレイ４００の光源透過率、光強度、光色鮮明度を向上し、部材の使用寿命を延長し、消費電力を低減する目的を達成する。
【００２６】
続いて、図３は、本発明の低電力消費のフルカラー有機ＥＬディスプレイのもう一つの実施例の断面図である。図３に示すように、本発明の有機ＥＬ（ＯＬＥＤ）ディスプレイ４０１は、カラーフィルター３０の表面に有機発光（ＯＬＥＤ）ユニット４０を設けて、前記第一有機発光ユニット４３１は第一カラーレジスト３５１に対応する位置に設置し、そして第四有機発光ユニット発光４３７は第二カラーレジスト３５３および第三カラーレジスト３５５に対応する位置上に設置する。また、前記第一有機発光ユニット４３１または第四有機発光ユニット４３７は、単層の有機発光層または複層の有機発光層とし、例えば、前記第一有機発光ユニット４３１は第一有機発光層４３１１からなり、前記第四有機発光ユニット４３７の第四有機発光層４３７１は折り重ねて設置した第二有機発光ユニット４３３および第三有機発光ユニット４３５からなる。
【００２７】
また、前記第一有機発光ユニット４３１または第四有機発光ユニット発光ユニット４３７は、ＨＩＬ（hole injection layer）４３４、ＨＴＬ（hole transport layer）４３６、ＥＴＬ（Electron  transport layer）４３８及びＥＩＬ（Electron  injection layer）４３９を有し、例えば、下部電極４１の表面に順番にＨＩＬ（hole injection layer）４３４およびＨＴＬ（hole transport layer）４３６を設け、更にＨＴＬ（hole transport layer）４３６表面に第一有機発光ユニット４３１および第四有機発光ユニット４３７を設け、並びに前記第一有機発光ユニット４３１および第四有機発光ユニット４３７の表面に順番にＥＴＬ（Electron  transport layer）４３８及びＥＩＬ（Electron  injection layer）４３９を設ける。
【００２８】
続いて、図４は、本発明の低電力消費のフルカラー有機ＥＬディスプレイのもう１つの実施例の断面図である。図４に示すように、本発明における有機ＥＬディスプレイ（ＯＬＥＤ）４０３は、基板３２の一部分の表面に有機ＥＬ（ＯＬＥＤ）部材４０を設けて、前記基板３２上のＯＬＥＤ部材４０に接しないデバイス表面上にパッケージカバー３９（保護カバーも可）を設置する。パッケージカバー３９はＯＬＥＤ部材４０に対して完全なコーティングを実行し、ＯＬＥＤ部材４０を保護する目的を達成し、前記パッケージカバー３９の一部分の底層にブラックマトリクス３３を設けてなり、並びにブラックマトリクス３３の一部表面から前記パッケージカバー３９上のブラックマトリックス３３を設置しない部分の表面には光色濾過機能を有するカラーフィルター層３５を設ける。前記カラーフィルター３５は、それぞれの色別に第一カラーレジスト３５１、第二カラーレジスト３５３および第三カラーレジスト３５５から構成する。
【００２９】
また、前記ＯＬＥＤディスプレイ４０３の単一画素（pixel）内部は、第一カラーレジスト３５１、第二カラーレジスト３５３および第三カラーレジスト３５５からなり、第一カラーレジスト３５１、第二カラーレジスト３５３および第三カラーレジスト３５５は全て個別に前記単一画素内の一次画素（sub  pixel）として配置され、前記第一カラーレジスト３５１、第二カラーレジスト３５３および第三カラーレジスト３５５の設置位置は変更可能であり、例えば、前記第一カラーレジスト３５１は両側の一次画素の位置に設置でき（図３参照）、中間の一次画素の位置に設置することもできる（図４参照）。前記第一有機発光ユニット４３１および第四有機発光ユニット４３７は、カラーレジストの設置位置の変更に従い調整することができる。
【００３０】
また、第一有機発光ユニット４３１または第四有機発光ユニット４３７は少なくとも１つのホストエミッター（Host  Emitter；H）内に少なくとも１つの不純物（Dopant；D）をドープしたドーパント型有機発光ユニットを使用することもでき、同様に色光源を配合し発生することができる。
【００３１】
この他、図５は、本発明のもう１つの実施例の断面図である。図５に示すように、本発明の有機ＥＬ（ＯＬＥＤ）ディスプレイ４０５は、カラーフィルター３０の表面に少なくとも１つＯＬＥＤ部材４０を設けてなり、前記有機発光ユニット４３１は第一カラーレジスト３５１に対応する位置に設置し、そして前記第四有機発光ユニット４３７は第二カラーレジスト３５３および第三カラーレジスト３５５に対応する位置に設置し、また、第一有機発光ユニット４３１および第四有機発光ユニット４３７の発光効率の違いに応じて第一有機発光ユニット４３１および各カラーフィルターの作用する面積比を調整する。
【００３２】
本発明の実施例において、第一有機発光ユニット４３１は第四有機発光ユニット４３７に比較して良好な発光効率を有する有機発光ユニットである時、例えば、緑色光源を発生可能な有機発光ユニット４３１は、前記第一有機発光ユニット４３１の有機発光層の作用面積は相対的に縮小し、例えば第一有機発光ユニット４３１の有機発光層の作用面積Ａは第一カラーレジスト３５１の作用面積Ａ１より小さく、これに相対して第一有機発光ユニット４３１は更に大きな誤差範囲を許容範囲とし、そして第一有機発光ユニット４３１の有機発光層の対置およびＣＶＤまたはマスクステップの実行に有利であり、前記ＯＬＥＤディスプレイ４０５の各色光の間の強度のバランスを維持することができる。
【００３３】
また、第一有機発光ユニット４３１は比較的良好な発光効率を有すると共に、前記第一有機発光ユニット４３１の下部の第一カラーレジスト３５１の作用面積Ａ１を調整し、例えば、第一カラーレジスト３５１の作用面積Ａ１は第二カラーレジスト３５３または第三カラーレジスト３５５の設置面積Ａ２およびＡ３より小さくすることができる。
【００３４】
また、図６は、本発明のもう１つの実施例の断面図である。図６に示すように、本発明の有機ＥＬ（ＯＬＥＤ）ディスプレイ６０１は能動型有機ＥＬディスプレイとして設計することもでき、透光基板５１の一部分の表面は少なくとも１つのＴＦＴ５３を設置してなり、ならびに透光基板５１および前記ＴＦＴ５３の一部分の表面は少なくとも１つの絶縁層５４を被せてなり、前記絶縁層５４内部は少なくとも１つの第一カラーレジスト５５１、第二カラーレジスト５５３および第三カラーレジスト５５５を設置してなり、また、前記絶縁層５４の一部分の表面は少なくとも１つの下部電極６１を設置してなると共に、前記下部電極６１はそれぞれ対応するＴＦＴ５３と電気的に接続することができる。
【００３５】
第一カラーレジスト５５１に対応する位置の下部電極６１の表面には、第一光源Ｓ１を発生可能な第一有機発光ユニット６３１を設置し、前記第二カラーレジスト５５３および第三カラーレジスト５５５に対応する位置の下部電極６１の表面は第四光源Ｓ４を発生可能な第四有機発光ユニット６３７を設置し、前記第一有機発光ユニット６３１は下部電極の一部分の表面に設置してなり、そして第四有機発光ユニット６３７は下部電極６１の第一有機発光ユニット６３１が設置されていない部分の表面に設置してなり、ならびに前記第一有機発光ユニット６３１および第四有機発光ユニット６３７の一部分の表面は少なくとも１つの対向電極６５を設けてなり、このようにしてＣＯＡ（color  filter  on  array）の主動式有機ＥＬディスプレイを形成する。
【００３６】
最後に、図７は、本発明のもう１つの実施例の断面図である。図７に示すように、図６に示す実施例と比較し、本実施例においては、能動型有機ＥＬ（ＯＬＥＤ）ディスプレイ６０３は第一カラーレジスト５５１、第二カラーレジスト５５３および第三カラーレジスト５５５を透光基板５１の表面に設置してカラーフィルター５０を構成し、カラーフィルター５０の一部分の表面に前記ＴＦＴ５３を設けてなり、第一カラーレジスト５５１に対応する位置の下部電極６１の表面に第一有機発光ユニット６３１を設置し、そして第二カラーレジスト５５３および第三カラーレジスト５５５に対応する位置の下部電極６１の表面に前記第四有機発光ユニット６３７を設けて、第一カラーレジスト５５１、第二カラーレジスト５５３および第三カラーレジスト５５５が第一光源Ｓ１および第四光源Ｓ４の光フィルターとなって、能動型有機（ＯＬＥＤ）ＥＬディスプレイ６０３のフルカラー表示の目的を達成し、前記第四有機発光ユニット６３７の第四有機発光層は、第四光源Ｓ４を発生可能な有機発光層であり、このようにしてＡＯＣ（array  on  color  filter）の構造を形成する。
【００３７】
また、本発明のもう一つの実施例において、透光基板５１の一部分の表面にパッケージカバー板を増設して前記パッケージカバーの底層に第一カラーレジスト５５１、第二カラーレジスト５５３および第三カラーレジスト５５５を設置し、このようにして、主動式ＯＬＥＤディスプレイの上部発光の目的を達成する。
【００３８】
上述に示すように、本発明は有機ＥＬディスプレイに関してなり、特に低電力消費のフルカラー有機ＥＬディスプレイおよびその製造方法に関してなり、光源の透過効率および色彩鮮明度を効果的に向上するだけでなく、消費電力を低減して部材の使用寿命を延長することを可能とする。
【００３９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００４０】
【図１】公知の有機ＥＬディスプレイの断面図である。
【図２】本発明の有機ＥＬディスプレイの実施例の断面図である。
【図３】本発明のもう一つの有機ＥＬディスプレイの実施例の断面図である。
【図４】本発明のもう一つの有機ＥＬディスプレイの実施例の断面図である。
【図５】本発明のもう一つの有機ＥＬディスプレイの実施例の断面図である。
【図６】本発明の主動式有機ＥＬディスプレイの断面図である。
【図７】本発明のもう一つの有機ＥＬディスプレイの実施例の断面図である。
【符号の説明】
【００４１】
１０ カラーフィルター
１１ 基板
１３ ブラックマトリクス
１５ カラーフィルター層
１５１ 第一カラーレジスト
１５３ 第二カラーレジスト
１５５ 第三カラーレジスト
１７ 平坦化層
２０ 有機ＥＬ部材
２１ 下部電極
２３ 有機発光ユニット
２５ 対向電極
３０ カラーフィルター
３１ 透光基板
３２ 基板
３３ ブラックマトリクス
３５ カラーフィルター層
３５１ 第一カラーレジスト
３５３ 第二カラーレジスト
３５５ 第三カラーレジスト
３７ 平坦バリアユニット
３９ パッケージカバー
４０ 有機ＥＬ部材
４１ 下部電極
４３ 有機発光ユニット
４３１ 有機ＥＬ部材
４３１１ 第一有機発光層
４３３ 第二有機発光層
４３４ ＨＩＬ（hole injection layer）
４３５ 第三有機発光層
４３６ ＨＴＬ（hole transport layer）
４３７ 第四有機発光ユニット
４３７１ 第四有機発光層
４３８ ＥＴＬ（Electron  transport layer）
４３９ ＥＩＬ（Electron  injection layer）
４５ 対向電極
５０ カラーフィルター
５１ 透光基板
５３ ＴＦＴ（Thin Film Transistor）
５４ 絶縁層
５５１ 第一カラーレジスト
５５３ 第二カラーレジスト
５５５ 第三カラーレジスト
６１ 下部電極
６３１ 第一有機発光ユニット
６３７ 第四有機発光ユニット
６５ 対向電極
２００ 有機ＥＬディスプレイ
４００ 有機ＥＬディスプレイ
４０１ 有機ＥＬディスプレイ
４０３ 有機ＥＬディスプレイ
４０５ 有機ＥＬディスプレイ
６０１ 主動式有機ＥＬディスプレイ
６０３ 主動式有機ＥＬディスプレイ
【図１】
2007042631.tif 000003
【図２】
2007042631.tif 000004
【図３】
2007042631.tif 000005
【図４】
2007042631.tif 000006
【図５】
2007042631.tif 000007
【図６】
2007042631.tif 000008
【図７】
2007042631.tif 000009